【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
デジタルコンテンツの配信装置が、複数種類のデジタルコンテンツを、順序性のルール、地域性のルール、天候のルール、あるいはこれらの組合せを適用した所定の再生ルールに従って関連付けて一斉に放送する段階と；
前記複数種類のデジタルコンテンツを受信した受信装置が、前記再生ルールに適合し、且つ、過去のコンテンツ再生履歴を表す履歴データ、当該受信装置が存在する地域を表す地域データ、デジタルコンテンツを受信した時刻データ、当該受信装置が存在する地域の気象データなどの所定の選択要因データに関連するいずれかのデジタルコンテンツを自律的に選択して再生する段階と；を有することを特徴とする、
放送によるデジタルコンテンツの配信方法。
【請求項２】
前記配信装置は、前記複数種類のデジタルコンテンツの各々に、再生優先順位を表すインデックス、地域性を表すエリアコード、再生させるときの気候、気温、湿度等を表すコードのいずれかを付することにより、コンテンツ間の関連付けを行うことを特徴とする、
請求項１記載の配信方法。
【請求項３】
前記受信装置は、前記複数種類のデジタルコンテンツのいずれかを前記再生ルール及び前記選択要因データに基づいて自律的に選択して再生可能にするための制御プログラムの実行環境を形成しており、
前記配信装置は、前記複数種類のデジタルコンテンツに前記制御プログラムを含めて放送することを特徴とする、
請求項１又は２記載の配信方法。
【請求項４】
前記配信装置が、前記複数種類のデジタルコンテンツをフレーム内に多重化するとともにこれにより得られた多重化信号を繰り返し放送し、
放送された前記多重化信号を受信した前記受信装置が、その多重化信号を分離することを特徴とする、
請求項１記載の配信方法。
【請求項５】
前記複数種類のデジタルコンテンツが、それぞれ所定の順序で再生される複数種類の広告コンテンツを含むものであり、
前記配信装置が、一つの多重化信号のフレーム内に、相対的に先に再生すべく用意された広告コンテンツの再生が終了した場合にその後に再生すべく用意された他の広告コンテンツが再生可能になるように配することを特徴とする、
請求項４記載の配信方法。
【請求項６】
前記複数種類の広告コンテンツが、宣伝対象となる商品又はサービスの知名度を向上させるための第１広告コンテンツと、当該商品又はサービスの内容の理解度を向上させるための第２広告コンテンツと、当該商品又はサービスの供給に関する情報を知らせるための第３広告コンテンツとを含むものであり、
前記配信装置は、これらの広告コンテンツを前記第１広告コンテンツ、前記第２広告コンテンツ、前記第３広告コンテンツの順に再生されるように多重化することを特徴とする、
請求項５記載の配信方法。
【請求項７】
前記配信装置が、前記第１広告コンテンツ、前記第２広告コンテンツ、前記第３広告コンテンツのいずれかに、前記商品又はサービスの詳細情報を前記受信装置からのアクセスに応じて提供する情報提供装置の論理アドレスを含めて放送することを特徴とする、
請求項６記載の配信方法。
【請求項８】
前記複数種類のデジタルコンテンツが、それぞれ所定の順序で再生される複数種類の番組コンテンツを含むものであり、
前記配信装置は、一つの多重化信号のフレーム内に、相対的に先に再生すべく用意された番組コンテンツの再生が終了した場合にその後に再生すべく用意された他の番組コンテンツが再生可能になるように配することを特徴とする、
請求項４記載の配信方法。
【請求項９】
前記番組コンテンツが、前記選択要因データによってその需要が左右される商品又はサービスの取引に関する情報を提示することを特徴とする、
請求項８記載の配信方法。
【請求項１０】
前記受信装置は、前記デジタルコンテンツを再生する度にコンテンツ再生履歴を表す履歴データを更新するとともに更新後の履歴データを所定のインセンティブ発行装置に伝達する機能を形成しており、このインセンティブ発行装置において前記コンテンツ再生履歴に応じたインセンティブを発行可能にすることを特徴とする、
請求項１記載の配信方法。
【請求項１１】
デジタルコンテンツを再生する機能及び所定の制御プログラム実行環境を形成する機能を有する受信装置に向けて、放送によるデジタルコンテンツの配信を行う装置であって；
配信対象となる複数種類のデジタルコンテンツを収集するコンテンツ収集手段と；
このコンテンツ収集手段で収集した複数種類のデジタルコンテンツを、順序性のルール、地域性のルール、天候のルール、あるいはこれらの組合せを適用した所定の再生ルールに従って関連付ける編集手段と；
前記受信装置に、前記複数種類のデジタルコンテンツと、これらのデジタルコンテンツを前記再生ルールに適合し、且つ、過去のコンテンツ再生履歴を表す履歴データ、当該受信装置が存在する地域を表す地域データ、デジタルコンテンツを受信した時刻データ、当該受信装置が存在する地域の気象データなどの所定の選択要因データに関連するいずれかのデジタルコンテンツを自律的に選択して再生させるための前記制御プログラムとを一斉に放送する放送手段とを備えてなる、
デジタルコンテンツの配信装置。
【請求項１２】
前記編集手段が、前記複数種類のデジタルコンテンツの各々に、再生優先順位を表すインデックス、地域性を表すエリアコード、再生させるときの気候、気温、湿度等を表すコードのいずれかを付することにより、コンテンツ間の関連付けを行うように構成されている、
請求項１１記載の配信装置。
【請求項１３】
前記複数種類のデジタルコンテンツと前記制御プログラムとをフレーム内に多重化する多重化手段をさらに備え、
前記放送手段が、前記多重化手段により得られた多重化信号を所定のタイムスケジュールに従って繰り返し放送するように構成されている、
請求項１１記載の配信装置。
【請求項１４】
前記複数種類のデジタルコンテンツが、それぞれ所定の順序で再生される複数種類の広告コンテンツを含むものであり、
前記編集手段は、一つの多重化信号のフレーム内に、相対的に先に再生すべく用意された広告コンテンツの再生が終了した場合にその後に再生すべく用意された他の広告コンテンツが再生可能になるように配するように構成されている、
請求項１３記載の配信装置。
【請求項１５】
前記複数種類のデジタルコンテンツが、それぞれ所定の順序で再生され、前記選択要因データによってその需要が左右される商品又はサービスの取引に関する情報を提示する複数種類の番組コンテンツを含むものであり、
前記編集手段は、一つの多重化信号のフレーム内に、相対的に先に再生すべく用意された番組コンテンツの再生が終了した場合にその後に再生すべく用意された他の番組コンテンツが再生可能になるように配するように構成されている、
請求項１３記載の配信装置。
【請求項１６】
デジタルコンテンツの配信装置から、順序性のルール、地域性のルール、天候のルール、あるいはこれらの組合せを適用した所定の再生ルールに従って関連付けて一斉に放送された複数種類のデジタルコンテンツを受信する受信手段と；
複数種類のデジタルコンテンツの中からそのいずれかを選択するための、過去のコンテンツ再生履歴を表す履歴データ、当該受信手段が存在する地域を表す地域データ、デジタルコンテンツを受信した時刻データ、当該受信手段が存在する地域の気象データなどの所定の選択要因データを外部から取得する選択要因データ取得手段と；
前記受信手段で受信した複数種類のデジタルコンテンツから前記再生ルールに適合し、且つ、前記選択要因データに関連するいずれかのデジタルコンテンツを選択するとともに選択されたデジタルコンテンツを再生する再生手段と；を備えてなる、
デジタルコンテンツの再生装置。
【請求項１７】
前記配信装置は、前記複数種類のデジタルコンテンツを所定の制御プログラムと共に多重化して放送するものであり、
前記受信手段は、
前記多重化された信号を分離してデジタルコンテンツの選択を可能にするとともに前記制御プログラムの実行環境を自装置内に構築するものであり、
前記制御プログラムが、前記複数種類のデジタルコンテンツのいずれかを自装置において前記再生ルール及び選択要因データに基づいて自律的に選択して再生可能にするためのプログラムである、
請求項１６記載の再生装置。
【請求項１８】
前記選択要因データ取得手段が、前記選択要因データが記録された可搬性の記録媒体を離脱自在に装着してその記録媒体に記録された選択要因データを読みとる記録媒体読みとり機構を備えて構成される、
請求項１６記載の再生装置。
【請求項１９】
前記選択要因データ取得手段が、前記選択要因データを外部端末から取得するためのインタフェース機構を備えて構成される、
請求項１６記載の再生装置。
【請求項２０】
自装置におけるコンテンツ再生履歴を表す履歴データを保持するとともに前記再生手段によりデジタルコンテンツが再生される度に前記履歴データを更新する履歴データ管理手段と、
最新の履歴データを所定のインセンティブ発行装置に伝達するデータ伝達手段とをさらに備え、
前記インセンティブ発行装置において前記コンテンツ再生履歴に応じたインセンティブを発行可能にする、
請求項１６記載の再生装置。
【請求項２１】
前記複数種類のデジタルコンテンツが、それぞれ所定の順序で再生される複数種類の広告コンテンツを含むものであり、
前記再生手段が、相対的に先に再生すべく用意された広告コンテンツの再生が終了した場合にその後に再生すべく用意された他の広告コンテンツを再生するように構成されている、
請求項１６記載の再生装置。
【請求項２２】
前記複数種類のデジタルコンテンツが、それぞれ所定の順序で再生され、前記選択要因データによってその需要が左右される商品又はサービスの取引に関する情報を提示する複数種類の番組コンテンツを含むものであり、
前記再生手段が、一つの多重化信号のフレーム内に、相対的に先に再生すべく用意された番組コンテンツの再生が終了した場合にその後に再生すべく用意された他の番組コンテンツが再生可能になるように構成されている、
請求項１６記載の再生装置。
【請求項２３】
コンピュータを、デジタルコンテンツの配信装置として動作させるためのコンピュータプログラムであって、
前記配信装置が、
デジタルコンテンツを再生する機能及び所定の制御プログラム実行環境を形成する機能を有する受信装置に向けて、放送によるデジタルコンテンツの配信を行う装置であって；
配信対象となる複数種類のデジタルコンテンツを収集するコンテンツ収集手段と；
このコンテンツ収集手段で収集した複数種類のデジタルコンテンツを、順序性のルール、地域性のルール、天候のルール、あるいはこれらの組合せを適用した所定の再生ルールに従って関連付ける編集手段と；
前記受信装置に、前記複数種類のデジタルコンテンツと、これらのデジタルコンテンツを前記再生ルールに適合し、且つ、過去のコンテンツ再生履歴を表す履歴データ、当該受信装置が存在する地域を表す地域データ、デジタルコンテンツを受信した時刻データ、当該受信装置が存在する地域の気象データなどの所定の選択要因データに関連するいずれかのデジタルコンテンツを自律的に選択して再生させるための前記制御プログラムとを一斉に放送する放送手段とを備えるものである、
コンピュータプログラム。
【請求項２４】
コンピュータを、デジタルコンテンツの再生装置として動作させるためのコンピュータプログラムであって、
前記再生装置が、
デジタルコンテンツの配信装置から、順序性のルール、地域性のルール、天候のルール、あるいはこれらの組合せを適用した所定の再生ルールに従って関連付けて一斉に放送された複数種類のデジタルコンテンツを受信する受信手段と；
複数種類のデジタルコンテンツの中からそのいずれかを選択するための、過去のコンテンツ再生履歴を表す履歴データ、当該受信手段が存在する地域を表す地域データ、デジタルコンテンツを受信した時刻データ、当該受信手段が存在する地域の気象データなどの所定の選択要因データを外部から取得する選択要因データ取得手段と；
前記受信手段で受信した複数種類のデジタルコンテンツから前記再生ルールに適合し、且つ、前記選択要因データに関連するいずれかのデジタルコンテンツを選択するとともに選択されたデジタルコンテンツを再生する再生手段と；を備えるものである、
コンピュータプログラム。
【手続補正２】
【補正対象書類名】明細書
【補正対象項目名】００１０
【補正方法】変更
【補正の内容】
【００１０】
本発明に係る放送によるデジタルコンテンツの配信方法は、デジタルコンテンツの配信装置が、複数種類のデジタルコンテンツを、順序性のルール、地域性のルール、天候のルール、あるいはこれらの組合せを適用した所定の再生ルールに従って関連付けて一斉に放送する段階と；前記複数種類のデジタルコンテンツを受信した受信装置が、前記再生ルールに適合し、且つ、過去のコンテンツ再生履歴を表す履歴データ、当該受信装置が存在する地域を表す地域データ、デジタルコンテンツを受信した時刻データ、当該受信装置が存在する地域の気象データなどの所定の選択要因データに関連するいずれかのデジタルコンテンツを自律的に選択して再生する段階と；を有することを特徴としている。
「再生ルール」は例えばデジタルコンテンツの提供者の意図を表すルールであり、「選択要因データ」は、複数種類のデジタルコンテンツを選択する要因となるデータである。
【手続補正３】
【補正対象書類名】明細書
【補正対象項目名】００１１
【補正方法】変更
【補正の内容】
【００１１】
前記配信装置は、例えば、複数種類のデジタルコンテンツの各々に、再生優先順位を表すインデックス、地域性を表すエリアコード、再生させるときの気候、気温、湿度等を表すコードのいずれかを付することにより、コンテンツ間の関連付けを行う。
【手続補正４】
【補正対象書類名】明細書
【補正対象項目名】００１２
【補正方法】変更
【補正の内容】
【００１２】
本発明による配信方法における実施の一態様では、前記受信装置が、前記複数種類のデジタルコンテンツのいずれかを前記再生ルール及び前記選択要因データに基づいて自律的に選択して再生可能にするための制御プログラムの実行環境を形成しており、前記配信装置は、前記複数種類のデジタルコンテンツに前記制御プログラムを含めて放送する。
また、ある実施の一態様では、デジタルコンテンツの一斉配信は、前記配信装置で前記複数種類のデジタルコンテンツをフレーム内に多重化するとともにこれにより得られた多重化信号を繰り返し放送することで実現される。放送された前記多重化信号を受信した前記受信装置ではその多重化信号を分離する。
【手続補正５】
【補正対象書類名】明細書
【補正対象項目名】００１３
【補正方法】変更
【補正の内容】
【００１３】
前記複数種類のデジタルコンテンツとして、それぞれ所定の順序で再生される複数種類の広告コンテンツを含むものとすることができる。この場合、前記配信装置は、一つの多重化信号のフレーム内に、相対的に先に再生すべく用意された広告コンテンツの再生が終了した場合にその後に再生すべく用意された他の広告コンテンツが再生可能になるように配する。これにより、広告コンテンツの再生順を配信装置側で指定することが可能となる。
再生順を指定する広告コンテンツの具体例としては、宣伝対象となる商品又はサービスの知名度を向上させるための第１広告コンテンツと、当該商品又はサービスの内容の理解度を向上させるための第２広告コンテンツと、当該商品又はサービスの供給に関する情報を知らせるための第３広告コンテンツと、が挙げられる。配信装置では、これらの広告コンテンツを第１広告コンテンツ、第２広告コンテンツ、第３広告コンテンツの順に再生されるように多重化する。
また、配信装置から、第１広告コンテンツ、第２広告コンテンツ、第３広告コンテンツのいずれかに、前記商品又はサービスの詳細情報を前記受信装置からのアクセスに応じて提供する情報提供装置の論理アドレスを含めて放送するようにもできる。これにより、受信装置から当該情報提供装置の論理アドレスにアクセスすることで、前記商品又はサービスの詳細情報を能動的に得ることが可能となる。


【手続補正６】
【補正対象書類名】明細書
【補正対象項目名】００１４
【補正方法】変更
【補正の内容】
【００１４】
前記複数種類のデジタルコンテンツを、それぞれ所定の順序で再生される複数種類の番組コンテンツを含むものとすることができる。この場合、前記配信装置は、一つの多重化信号のフレーム内に、相対的に先に再生すべく用意された番組コンテンツの再生が終了した場合にその後に再生すべく用意された他の番組コンテンツが再生可能になるように配する。番組コンテンツは、例えば前記選択要因データによってその需要が左右される商品又はサービスの取引に関する情報を提示するものである。


【手続補正７】
【補正対象書類名】明細書
【補正対象項目名】００１５
【補正方法】変更
【補正の内容】
【００１５】
更に、前記受信装置に、前記デジタルコンテンツを再生する度にコンテンツ再生履歴を表す履歴データを更新するとともに更新後の履歴データを所定のインセンティブ発行装置に伝達する機能を形成しており、このインセンティブ発行装置において前記コンテンツ再生履歴に応じたインセンティブを発行可能にしてもよい。このようにすることで、特定のコンテンツに対してのユーザの視聴意欲を刺激することができる。


【手続補正８】
【補正対象書類名】明細書
【補正対象項目名】００１６
【補正方法】変更
【補正の内容】
【００１６】
本発明のデジタルコンテンツの配信装置は、上述した本発明の配信方法における配信装置としての実施が可能なもので、デジタルコンテンツを再生する機能及び所定の制御プログラム実行環境を形成する機能を有する受信装置に向けて、放送によるデジタルコンテンツの配信を行う装置であって；配信対象となる複数種類のデジタルコンテンツを収集するコンテンツ収集手段と；このコンテンツ収集手段で収集した複数種類のデジタルコンテンツを、順序性のルール、地域性のルール、天候のルール、あるいはこれらの組合せを適用した所定の再生ルールに従って関連付ける編集手段と；前記受信装置に、前記複数種類のデジタルコンテンツと、これらのデジタルコンテンツを前記再生ルールに適合し、且つ、過去のコンテンツ再生履歴を表す履歴データ、当該受信装置が存在する地域を表す地域データ、デジタルコンテンツを受信した時刻データ、当該受信装置が存在する地域の気象データなどの所定の選択要因データに関連するいずれかのデジタルコンテンツを自律的に選択して再生させるための前記制御プログラムとを一斉に放送する放送手段とを備えたものである。
前記編集手段は、例えば、複数種類のデジタルコンテンツの各々に、再生優先順位を表すインデックス、地域性を表すエリアコード、再生させるときの気候、気温、湿度等を表すコードのいずれかを付することにより、コンテンツ間の関連付けを行うように構成される。
この配信装置において、前記複数種類のデジタルコンテンツと前記制御プログラムとをフレーム内に多重化する多重化手段をさらに備え、前記放送手段が、前記多重化手段により得られた多重化信号を所定のタイムスケジュールに従って繰り返し放送する構成にすることもできる。このようにすれば、複数種類のデジタルコンテンツを一斉放送する際のデータ管理の形態が簡略化される。


【手続補正９】
【補正対象書類名】明細書
【補正対象項目名】００１７
【補正方法】変更
【補正の内容】
【００１７】
本発明のデジタルコンテンツの再生装置は、上述した本発明の配信方法における受信装置としての実施が可能なもので、デジタルコンテンツの配信装置から、順序性のルール、地域性のルール、天候のルールのいずれか、あるいはこれらの組合せからなる所定の再生ルールに従って関連付けて一斉に放送された複数種類のデジタルコンテンツを受信する受信手段と；複数種類のデジタルコンテンツの中からそのいずれかを選択するための、過去のコンテンツ再生履歴を表す履歴データ、当該受信手段が存在する地域を表す地域データ、デジタルコンテンツを受信した時刻データ、当該受信手段が存在する地域の気象データなどの所定の選択要因データを外部から取得する選択要因データ取得手段と；前記受信手段で受信した複数種類のデジタルコンテンツから前記再生ルールに適合し、且つ、前記選択要因データに関連するいずれかのデジタルコンテンツを選択するとともに選択されたデジタルコンテンツを再生する再生手段と；を備えたものである。
前記選択要因データ取得手段において取得される選択要因データは、例えば自装置における過去のコンテンツ再生履歴を表す履歴データ、自装置が存在する地域を表す地域データ、前記複数種類のデジタルコンテンツを受信した時刻データ、自装置が存在する地域の気象データの少なくとも一つのデータである。


【手続補正１０】
【補正対象書類名】明細書
【補正対象項目名】００１８
【補正方法】変更
【補正の内容】
【００１８】
前記複数種類のデジタルコンテンツが所定の制御プログラムと共に多重化されて放送される場合、前記受信手段は、前記多重化された信号を分離してデジタルコンテンツの選択を可能にするとともに前記制御プログラムの実行環境を自装置内に構築するような再生装置にする。このような構成の再生装置では、前記制御プログラムを、前記複数種類のデジタルコンテンツのいずれかを自装置において前記再生ルール及び選択要因データに基づいて自律的に選択して再生可能なものとすることで、再生装置側では、専用の制御プログラムを用意していなくとも、複数種類のデジタルコンテンツのどのデジタルコンテンツを再生するかの選択を容易に行えるようになる。


【手続補正１１】
【補正対象書類名】明細書
【補正対象項目名】００５１
【補正方法】変更
【補正の内容】
【００５１】
なお、番組の放映回数が増えると、それに比例して多重化して送信するデジタルデータ量が増大するので、最新の番組から３週前までの番組のみを多重化して送信するようにしてもよい。この場合、ｎ週目にはｎ−３回目、ｎ−２回目、ｎ−１回目及びｎ回目という、４回分の番組が多重化して送信される。
図７において、ユーザＡは、毎回必ず番組を視聴するので、従来と同様に、１週目には１回目番組、２週目には２回目番組…と、そのままの番組がディスプレイ３に表示されることとなる。一方、ユーザＢは、第２週目で視聴を忘れている。従って、番組枠の３週目の放映時には、受信装置２の主制御部２２では、視聴履歴記録部２３に記録された視聴情報を読出すことで、番組を１回しか視聴していないことが検出される。従って、主制御部２２では、配信されている１〜３回目番組のうち、最新の３回目番組ではなく、前週（第２週目）に視聴し忘れた２回目番組を選択してディスプレイ３に表示する。
このような構成とすることで、視聴忘れがあった場合でも、次回の番組放送時に、視聴忘れがあった回を視聴することができる。